(57)【特許請求の範囲】
【請求項１】
予め映像デコード処理アルゴリズムを規定するプログラムが格納されている記憶手段と、
この記憶手段に格納されているプログラムに従って、供給されてくる映像信号をデコード処理する映像信号デコード処理手段と、
上記記憶手段に格納されているプログラムの上記映像信号デコード処理手段への転送を制御するための制御信号を生成するプログラム転送制御手段と、
上記プログラム転送制御手段からの制御信号に基づいて、上記記憶手段に格納されているプログラムの上記デコード処理手段への転送状態を判別し、プログラム転送中であれば、表示画面上にプログラム転送中であることを表示するための判別信号を生成し、発信する画面表示内容制御手段と、
入力されてきた映像信号を基に放送方式を判別し、この判別結果に応じて、表示画面上に放送方式を表示するための第２の判別信号を生成し、発信する放送方式判別手段と、
上記画面表示内容制御手段からの判別信号、あるいは上記放送方式判別手段からの第２の判別信号のうちのいずれかを選択し、出力する出力選択手段と、
上記出力選択手段からの選択出力に基づいて、表示画面への出力内容を切り換える画面表示出力内容切換手段とを含む、
ことを特徴とするテレビジョン受像機。
【請求項２】
予め映像デコード処理アルゴリズムを規定するプログラムが格納されている記憶手段と、
この記憶手段に格納されているプログラムに従って、供給されてくる映像信号をデコード処理する映像信号デコード処理手段と、
上記記憶手段に格納されているプログラムの上記映像信号デコード処理手段への転送を制御するための制御信号を生成するプログラム転送制御手段と、
上記プログラム転送制御手段からの制御信号に基づいて、上記記憶手段に格納されているプログラムの上記映像信号デコード処理手段への転送状態を判別し、プログラム転送中であれば、表示画面上にプログラム転送中であることを表示するための判別信号を生成し、発信する画面表示内容制御手段と、
入力されてきたチャンネル情報を基に使用者が選択したチャンネルを判別し、この判別結果に応じて、表示画面上に使用者が選択したチャンネルを表示するための第３の判別信号を生成し、発信する選択チャンネル判別手段と、
上記画面表示内容制御手段からの判別信号、あるいは上記選択チャンネル判別手段からの第３の判別信号のうちのいずれかを選択し、出力する出力選択手段と、
上記出力選択手段からの選択出力に基づいて、表示画面への出力内容を切り換える画面表示出力内容切換手段とを含む、
ことを特徴とするテレビジョン受像機。
【請求項３】
予め映像デコード処理アルゴリズムを規定するプログラムが格納されている記憶手段と、
上記記憶手段に格納されているプログラムに従って、供給されてくる映像信号をデコード処理する映像信号デコード処理手段と、
上記記憶手段に格納されているプログラムの上記映像信号デコード処理手段への転送を制御するための制御信号を生成するプログラム転送制御手段と、
上記プログラム転送制御手段からの制御信号に基づいて、上記記憶手段に格納されているプログラムの上記映像信号デコード処理手段への転送状態を判別し、プログラム転送中であれば、表示画面上にプログラム転送中であることを表示するための判別信号を生成し、発信する画面表示内容制御手段と、
入力されてきた映像信号を基に放送方式を判別し、この判別結果に応じて、表示画面上に放送方式を表示するための第２の判別信号を生成し、発信する放送方式判別手段と、
入力されてきたチャンネル情報を基に使用者が選択したチャンネルを判別し、この判別結果に応じて、表示画面上に使用者が選択したチャンネルを表示するための第３の判別信号を生成し、発信する選択チャンネル判別手段と、
上記画面表示内容制御手段からの判別信号、上記放送方式判別手段からの第２の判別信号、あるいは選択チャンネル判別手段からの第３の判別信号のうちのいずれかを選択し、出力する出力選択手段と、
上記出力選択手段からの選択出力に基づいて、表示画面への出力内容を切り換える画面表示出力内容切換手段とを含む、
ことを特徴とするテレビジョン受像機。
【請求項４】
予め映像デコード処理アルゴリズムを規定するプログラムが格納されている記憶手段と、
上記記憶手段に格納されているプログラムに従って、供給されてくる映像信号をデコード処理する映像信号デコード処理手段と、
上記記憶手段に格納されているプログラムの上記映像信号デコード処理手段への転送を制御するための制御信号を生成するプログラム転送制御手段と、
このプログラム転送制御手段からの制御信号に基づいて、上記記憶手段に格納されているプログラムの上記デコード処理手段への転送状態を判別し、プログラム転送中であれば、表示画面上にプログラム転送中であることを表示するための判別信号を生成し、発信する画面表示内容制御手段と、
入力されてきたチャンネル情報を基に放送方式を判別し、この判別結果に応じて、表示画面上に放送方式を表示するための第２の判別信号を生成し、発信する選択放送方式判別手段と、
上記画面表示内容制御手段からの判別信号、あるいは上記選択チャンネル判別手段からの第２の判別信号のうちのいずれかを選択し、出力する出力選択手段と、
上記出力選択手段からの選択出力に基づいて、表示画面への出力内容を切り換える画面表示出力内容切換手段とを含む、
ことを特徴とするテレビジョン受像機。
【請求項５】
請求項1または請求項4に記載のテレビジョン受像機において、
上記出力選択手段は、上記第２の判別信号の受信に基づいて、一旦第２の判別信号を選択出力し、その後、上記画面表示内容制御手段からの判別信号を選択出力し、
上記画面表示出力内容切換手段は、上記出力選択手段からの選択出力に基づいて、一旦選択出力を出力し、その後、デコード処理された映像信号に出力を切換える、
ことを特徴とするテレビジョン受像機。
【請求項６】
請求項２に記載のテレビジョン受像機において、
上記出力選択手段は、上記第３の判別信号の受信に基づいて、一旦第３の判別信号を選択出力し、その後、上記画面表示内容制御手段からの判別信号を選択出力し、
上記画面表示出力内容切換手段は、上記出力選択手段からの選択出力に基づいて、一旦該選択出力を出力し、その後、デコード処理された映像信号に出力を切換える、
ことを特徴とするテレビジョン受像機。
【請求項７】
請求項３に記載のテレビジョン受像機において、
上記出力選択手段は、上記第３の判別信号の受信に基づいて、一旦第３の判別信号を選択出力し、その後、上記第２の判別信号を選択出力、次いで上記画面表示内容制御手段からの判別信号を選択出力し、
上記画面表示出力内容切換手段は、上記出力選択手段からの選択出力に基づいて、一旦選択出力を出力し、その後、デコード処理された映像信号に出力を切換える、
ことを特徴とするテレビジョン受像機。
【発明の詳細な説明】
【０００１】
【発明の属する技術分野】
本発明は、テレビジョン受像機に関し、更に詳しくは、例えば、ＤＳＰ（Ｄｉｇｉｔａｌ  Ｓｉｇｎａｌ  Ｐｒｏｃｅｓｓｏｒ）に代表されるプログラマブル演算手段を用いたテレビジョン受像機にかかる。
【０００２】
【従来の技術】
近年、ＤＳＰを用いて信号処理を行うデジタル方式のテレビジョン受像機の開発が盛んに行われている。
【０００３】
この種のＤＳＰを使用したテレビジョン受像機として、特開平５−５６３７２号公報にて、使用者が放送方式を特に認識しなくても、入力信号を基に放送方式を自動的に認識して、映像信号処理プログラムを自動的に放送方式に適合した内容に設定できるようにしたものが提案されている。
【０００４】
図８は上記公開公報にかかるテレビジョン受像機の回路構成を示すブロック図である。
図８を参照して、アンテナ２００で受信された信号は、チューナ２０１に導かれ、選択チャンネルが決定される。
チューナ２０１から導出された中間周波信号は、中間周波増幅器（ＩＦ増幅器）２０２にて増幅され、検波器２０３に供給される。
検波器２０３から出力されたビデオ信号は、選択回路２０４にて選択され、同期再生偏向制御回路２０６、およびＡ／Ｄ変換器２０７に供給される。そうすると、選択回路２０４は、端子２０５からの外部からのビデオ信号を選択して導入する。
【０００５】
デジタル化されたビデオ信号は、複数のＤＳＰにより構成されている映像信号処理装置２１０に供給され、映像信号処理プログラムに従って処理される。映像信号処理装置２１０には、ローダ回路５０１が接続されており、このローダ回路５０１は、プログラムメモリ２１１からのプログラムデータを映像信号処理装置２１０の各ＤＳＰに書き込む。ここで、プログラムデータは、入力信号の放送方式に応じて、自動的に書き込まれるもので、その放送方式判定は、方式判定回路５００にて行われる。具体的には、方式判定回路５００は、選択回路２０４からのビデオ信号に基づいて、ＮＴＳＣ方式、ＰＡＬ方式、およびＳＥＣＡＭ方式のいずれであるかを判定する。
【０００６】
また、方式判定回路５００は、プログラムメモリ２１１に対して、放送方式に対応したプログラムが格納されているバンクセレクト信号を与えるとともに、ローダ回路５０１に対して、トリガーパルスを与える。これにより、プログラムメモリ２１１内のプログラムは、複数のＤＳＰへ順次転送される。その結果、映像信号処理装置２１０の内部における信号処理モードが設定される。
映像信号処理装置２１０で処理されたビデオ信号は、Ｄ／Ａ変換器２０８に供給され、アナログ信号に変換された後、カラーブラウン管２０９に供給される。
【０００７】
【発明が解決しようとする課題】
一般に、複数の映像信号を処理できるテレビジョン受像機を実現する場合においては、各放送方式に沿った専用の映像信号処理回路が必要であり、より多くの機能を実現するためには、数多くの回路が必要となる。そのため、コスト的な問題を抱えることとなる。そこで、複数の映像信号の処理を１つの回路で実現できるＤＳＰが要求されている。
近時、ＤＳＰを用いた信号処理回路においては、複数の映像信号を１つの映像処理回路で処理・構成できるようになりつつある。
しかしながら、例えば、一の放送方式にかかる映像信号から他の放送方式にかかる映像信号に切り換わる際、プログラムを転送するための時間が発生する。その結果、誤った画像出力が行われる場合がある。このような事態に陥るのは、現状では避けることができないのが実情である。
【０００８】
かかる現状に対処するため、本発明者等は、ＤＳＰを用いて、複数の映像信号を１つの映像処理回路で処理するとき、ＤＳＰによるプログラム転送や、ＤＳＰのプログラム転送完了などといったシステムの動作状態を表示画面上に適応的に表示するようにすればよいのではないかと着想した。
また、本発明者等は、入力されてくる映像信号が切り換わったときに、ＤＳＰのプログラム内容を自動的に切り換えるようにすればよいのではないかと着想した。
本発明は、上記着想に基づきなされたもので、使用者にシステムの動作状態を認識させることができるテレビジョン受像機を提供することを目的とする。
【０００９】
【課題を解決するための手段】
上記目的を達成するために、本願発明にかかるテレビジョン受像機は、出力選択手段が画面表示内容制御手段からの判別信号および放送方式判別手段からの第２の判別信号のうちいずれかを選択し、画面表示出力内容切換手段が出力選択手段からの選択出力に基づいて、表示画面への出力内容を切り換える構成とした。
さらに、出力選択手段は、画面表示内容制御手段からの判別信号および選択チャンネル判別手段からの第３の判別信号のうちいずれかを選択する構成にしても良いし、画面表示内容制御手段からの判別信号および放送方式判別手段からの第２の判別信号、選択チャンネル判別手段からの第３の判別信号のうちいずれかを選択する構成にしても良い。
また、出力選択手段が画面表示内容制御手段からの判別信号および選択放送方式判別手段からの第２の判別信号のうちいずれかを選択する構成でもよい。
【００１７】
【発明の実施の形態】
以下、本発明の実施の形態を添付図面に基づき詳細に説明する。
（実施の形態１）
図１は本発明の実施の形態１にかかるテレビジョン受像機の回路構成を示すブロック図である。
図１を参照して、本実施の形態１のテレビジョン受像機は、予め複数の映像デコード処理アルゴリズムを規定する複数のマイクロプログラムが格納されているＲＡＭ３と、ＲＡＭ３に格納されているマイクロプログラムに従って、放送方式に応じて、供給されてくる映像信号をデコード処理（信号処理）するプログラマブル演算手段２と、ＲＡＭ３に格納されているマイクロプログラムのプログラマブル演算手段３への転送を制御するための制御信号を生成するプログラム転送制御手段５と、プログラム転送制御手段５からの制御信号に基づいて、ＲＡＭ３に格納されているマイクロプログラムのプログラマブル演算手段３への転送状態を判別し、この判別結果に応じて、表示画面（図示せず。）上に表示すべき内容を制御するための判別信号を生成する画面表示制御手段６と、画面表示制御手段６からの判別信号に基づいて、表示画面にプログラムが転送されているか否かを表示させるべく、表示画面への出力内容を切り換える画面表示手段７とを備えている。
【００１８】
なお、図中、１は供給されてきた映像信号が入力される映像信号入力端子、４はプログラム演算手段３へのデコード内容を入力するプログラム内容入力端子、８は画面表示手段７からの映像信号を表示画面に出力する映像信号出力端子、１０は信号転送バスである。
【００１９】
プログラマブル演算手段２は、信号転送バス１０を介して、ＲＡＭ３、プログラム内容入力端子４、およびプログラム転送制御手段５と相互に接続されているとともに、画面表示手段７と接続されている。このプログラマブル演算手段２は、処理内容を変更することのできる演算回路であって、プログラム転送制御手段５から出力されたロード命令に従ってプログラムの内容をロードし、このロードしたプログラムの内容に基づいて、映像信号をデコード処理する。
プログラム転送制御手段５は、主にＣＰＵが用いられており、プログラマブル演算手段２にマイクロプログラムがロードされているか否かの判別信号を出力する。この判別信号は、画面表示制御手段６へ送られる。
【００２０】
画面表示制御手段６は、プログラム転送制御手段５からプログラマブル演算手段２へのマイクロプログラムのロード中で表す判別信号が入力されると、ロードされ始めてからの時間を読み取り、プログラマブル演算手段２にロードされている時間（以下、「ロード時間」という。）が予め設定されたロード時間（以下、「設定ロード時間」という。）よりも短いか否かを判別する。この判別の結果、ロード時間が設定ロード時間よりも長い場合は、画面表示制御手段６は、マイクロプログラムをロードしている最中であることを表す情報を表示画面上に表示させるための制御信号を生成し、この制御信号を画面表示手段７に出力する。一方、ロード時間が設定ロード時間よりも短い場合は、画面表示制御手段６は、表示画面上には何も表示させないための制御信号を生成し、この制御信号を画面表示手段７に出力する。また、画面表示制御手段６は、プログラム転送制御手段５からプログラマブル演算手段２へのマイクロプログラムの転送が終了したことを表す判別信号が入力されると、マイクロプログラムの転送が終了したことを表す情報を表示画面上に表示させるための制御信号を生成して出力する。これら制御信号は、画面表示手段７へ送られる。
【００２１】
画面表示手段７は、画面表示制御手段６からの制御信号により制御される。具体的には、ロード時間が設定ロード時間よりも長い場合は、マイクロプログラムをロードしている最中であることを表す情報を表示画面上に表示させる。一方、ロード時間が設定ロード時間よりも短い場合は、表示画面上に何も表示させない。また、プログラム転送が終了した場合は、マイクロプログラムの転送を終了したことを表す情報を表示画面上に表示させる。
【００２２】
ここで、上記テレビジョン受像機の動作について説明する。
映像信号入力端子１に入力された映像信号は、プログラマブル演算手段２に入力される。一方、プログラム内容入力端子４に入力された信号は、信号転送バス１０を介して、プログラマブル演算手段２、ＲＡＭ３、およびプログラム転送制御手段５に入力される。
【００２３】
プログラム転送制御手段５は、周期的にマイクロプログラム内容が変わっていないかを検出し、この検出結果に応じて、プログラマブル演算手段２がマイクロプログラムをロードしている最中か否かを表す判別信号を画面表示制御手段６に送る。
【００２４】
ここで、プログラム転送制御手段５からプログラマブル演算手段２へのマイクロプログラムのロード中で表す判別信号が入力されると、画面表示制御手段６は、マイクロプログラムのロードが始まってからの時間を監視し、ロード時間と設定ロード時間との比較を行う。この比較の結果、ロード時間が設定ロード時間を越えた場合には、画面表示制御手段６は、マイクロプログラムをロードしている最中であることを表示画面上に表示させる制御信号を生成して出力する。一方、ロード時間が設定ロード時間を越えない場合には、マイクロプログラムをロードしている最中であることを表示画面上には何も表示させないための制御信号を生成して出力する。
【００２５】
画面表示制御手段６から制御信号が入力されると、画面表示手段７は、入力された制御信号に基づいて、表示画面上にマイクロプログラムのロード状態を表示させるべく、出力端子８を介して、映像信号を表示画面に出力する。
【００２６】
そうすると、ロード時間が設定ロード時間よりも長い場合、図２（ｂ）に示すように、表示画面１００上には、一旦「プログラム転送中」というメッセージが表示された後、一の映像（車の映像）から切り換わった他の映像（船の映像）が表示されることになる。一方、ロード時間が設定ロード時間よりも短い場合、図２（ａ）に示すように、表示画面１００上には、転送情報が表示されることなく、一の映像（車の映像）から切り換わった他の映像（船の映像）が表示されることになる。
【００２７】
一方、プログラム転送制御手段５からプログラマブル演算手段２へのマイクロプログラムの転送が終了したことを表す判別信号が入力されると、画面表示制御手段６は、マイクロプログラムの転送が終了したことを表す情報を表示画面上に表示させるための制御信号を生成して出力する。
【００２８】
画面表示制御手段６から制御信号が入力されると、画面表示手段７は、入力された制御信号に基づいて、表示画面上にマイクロプログラムの転送が終了したことを表す情報を表示させるべく、出力端子８を介して、映像信号を表示画面に出力する。
そうすると、表示画面には、マイクロプログラムの転送を終了したことを表す情報が表示されることになる。
【００２９】
すなわち、本実施の形態１では、プログラマブル演算手段２に供給するマイクロプログラムを転送させる際、マイクロプログラムの転送時間が予め設定された設定時間よりも短いことを条件として、一方、マイクロプログラムを転送している最中であることを表す情報を表示画面上に表示せず、マイクロプログラムの転送時間が予め設定された設定時間よりも長いことを条件として、マイクロプログラムを転送している最中であることを表す情報を表示画面上に表示させ、また、プログラマブル演算手段２に供給するマイクロプログラムの転送が終了した際には、マイクロプログラムの転送を終了したことを表す情報を表示画面上に表示させるようになっている。
【００３０】
換言すると、マイクロプログラムの転送過程に則して表示画面上に表示すべき内容を切り換えることで、使用者にプログラマブル演算手段２の動作状態を認識させることができるようになっている。
したがって、使用者にシステムの動作状態を認識させることができる。
【００３１】
（実施の形態２）
図３は本発明の実施の形態２にかかるテレビジョン受像機の回路構成を示すブロック図である。
図３を参照して、本実施の形態２のテレビジョン受像機の特徴は、予め複数の映像デコード処理アルゴリズムを規定する複数のマイクロプログラムが格納されているＲＯＭ１３と、入力されてきた映像信号を基に放送方式を判別し、この判別結果に応じて、プログラマブル演算手段２に供給するプログラムの内容を切り換えるための第１の判別信号、および表示画面を切り換えるための第２の判別信号を生成する放送方式判別手段１４と、放送方式判別手段１４からの第１の判別信号に基づいて、ＲＯＭ１３に格納されているマイクロプログラム、および外部プログラム入力端子１２を介して入力されてくるプログラムのうちいずれか一方の内容を出力するよう切り換える第１の選択手段１５と、放送方式判別手段１４からの第２の判別信号に基づいて、画面表示制御手段６、および放送方式判別手段１４のうちいずれの出力を選択すべきかを決定する第２の選択手段とを備え、画面表示手段７は、第２の選択手段１６からの選択出力に基づいて、表示画面への出力内容を切り換えるようになっている点にあり、その他の構成は実施の形態１と同様である。
【００３２】
ここで、上記テレビジョン受像機の動作について説明する。
映像信号入力端子１から入力された映像信号は、プログラマブル演算手段２、および放送方式判別手段１４に与えられる。
【００３３】
放送方式判別手段１４では、入力された映像信号が何であるか判別して、第１の判別信号を生成し、この第１の判別信号を第１の選択手段１５に送る。第１の選択手段１５では、第１の判別信号に基づいて、映像信号をデコードするべく、ＲＯＭ１３に記憶されているマイクロプログラム、および外部プログラム入力端子１２を介して入力されてくるプログラムのうちいずれか一方を選択して、選択した方のプログラムの内容を出力するよう切り換え、この内容が切り換えられたプログラムをプログラマブル演算手段２に出力する。
【００３４】
また、映像信号が切り換わった場合、放送方式判別手段１４は、映像信号が切り換わったことを表示するための制御信号、および第２の選択手段１６への第２の判別信号を生成して出力する。具体的には、まず、映像信号が切り換わった瞬間、放送方式判別手段１４は、第２の選択手段１６の出力が放送方式判別手段１４の画面表示制御信号になるように、第２の判別信号を生成し、この第２の判別信号を第２の選択手段１６に出力する。このとき、画面表示手段７に対して、表示画面に放送方式が切り換わったこと、すなわち従前の放送方式と異なる放送方式に切り換わったことを表示する制御信号が送られる。そうすると、図４（ｂ）に示すように、表示画面１００上には、一旦「ＮＴＳＣ→ＭＵＳＥ」というメッセージが表示された後、一の映像（車の映像）から切り換わった他の映像（船の映像）が表示されることになる。このように、放送方式切り換え情報が表示されたら、第２の選択手段１６の出力を画面表示制御手段６の出力に切り換え、上述した第１の実施の形態における同じ動作に切り換えられる。
【００３５】
これに対し、放送方式が切り換わらない、すなわち同じ放送方式の場合、図４（ａ）に示すように、表示画面１００上には、放送方式切り換え情報が表示されることなく、一の映像（車の映像）から切り換わった他の映像（船の映像）が表示されることになる。
【００３６】
すなわち、本実施の形態２では、入力された映像信号を基に放送方式を判別し、この判別結果に応じて、プログラマブル演算手段２に供給するプログラムの内容を切り換えるとともに、表示画面上に表示すべき内容を切り換えるようになっている。
したがって、従前の放送方式から異なる放送方式に放送方式が切り換わったときにも、使用者にシステムの動作状態を認識させることができる。
【００３７】
（実施の形態３）
図５は本発明の実施の形態３にかかるテレビジョン受像機の回路構成を示すブロック図である。
図５を参照して、本実施の形態３のテレビジョン受像機の特徴は、チャンネル情報入力端子２１を介して入力されてきたチャンネル情報を基に使用者が選択したチャンネルを判別し、この判別結果に応じて、プログラマブル演算手段２に供給するプログラムの内容を切り換えるための第１の判別信号、および表示画面を切り換えるための第２の判別信号を生成する選択チャンネル判別手段２２と、選択チャンネル判別手段２２からの第１の判別信号に基づいて、ＲＯＭ１３に格納されているマイクロプログラム、および外部プログラム入力端子１２を介して入力されてくるプログラムのうちいずれか一方の内容を出力するよう切り換える第１の選択手段２５と、選択チャンネル判別手段２２からの第２の判別信号に基づいて、画面表示制御手段１６、および選択チャンネル判別手段２２のうちいずれの出力を選択すべきかを決定する第２の選択手段２６とを備え、画面表示手段７は、第２の選択手段２６からの選択出力に基づいて、表示画面への出力内容を切り換えるようになっている点にあり、その他の構成は実施の形態１と同様である。
【００３８】
ここで、上記テレビジョン受像機の動作について説明する。
映像信号入力端子１から入力された映像信号は、プログラマブル演算手段２に与えられる。一方、チャンネル情報入力端子２１から入力されたチャンネル情報は、選択チャンネル判別手段２２に与えられる。
【００３９】
選択チャンネル判別手段２２では、入力されてきたチャンネル情報を基に使用者が選択したチャンネルを判別して、第１の判別信号を生成し、この第１の判別信号を第１の選択手段２５に送る。第１の選択手段２５では、第１の判別信号に基づいて、プログラマブル演算手段２に映像信号をデコードさせるべく、ＲＯＭ１３に記憶されているマイクロプログラム、および外部プログラム入力端子１２を介して入力されてくるプログラムのうちいずれか一方を選択して、選択した方のプログラムを出力するようその内容を切り換え、この内容が切り換えられたプログラムをプログラマブル演算手段２に出力する。
【００４０】
また、チャンネルが切り換わった場合、選択チャンネル判別手段２２は、チャンネルが切り替わったことを表示するための制御信号、および第２の選択手段１６への第２の判別信号を生成して出力する。具体的には、まず、チャンネルが切り換わった瞬間、選択チャンネル判別手段２２は、第２の選択手段２６の出力が選択チャンネル判別手段２２の画面表示制御信号になるように、第２の判別信号を生成し、この第２の判別信号を第２の選択手段２６に出力する。このとき、画面表示手段７に対して、表示画面にチャンネルが切り換わったこと、すなわち従前のチャンネルと異なるチャンネルに切り換わったことを表示する制御信号が送られる。そうすると、表示画面上には、チャンネルが変更されたことを表す情報が表示されることになる。このように、チャンネル切り換え情報が表示されたら、第２の選択手段２６の出力を画面表示制御手段６の出力に切り換え、上述した第１の実施の形態における同じ動作に切り換えられる。
【００４１】
すなわち、本実施の形態３では、使用者が所要の手段にてチャンネルを選択することにより、入力されてきたチャンネル情報を基に使用者が選択したチャンネルを判別し、この判別結果に応じて、プログラマブル演算手段２に供給するプログラムの内容を切り換えるとともに、表示画面上に表示すべき内容を出力するよう切り換えるようになっている。
したがって、従前のチャンネルから異なるチャンネルに切り換わったときにも、使用者にシステムの動作状態を認識させることができる。
【００４２】
（実施の形態４）
図６は本発明の実施の形態４にかかるテレビジョン受像機の回路構成を示すブロック図である。
図５を参照して、本実施の形態４のテレビジョン受像機の特徴は、予め記憶されている各チャンネル毎の放送方式の情報と、入力されてきたチャンネル情報とを比較することで使用者が選択した放送方式を判別し、この比較判別結果に応じて、プログラマブル演算手段に供給するプログラムの内容を切り換えるための第１の判別信号、および表示画面を切り換えるための第２の判別信号を生成する選択放送方式判別手段３０と、選択放送方式判別手段３０からの第１の判別信号に基づいて、ＲＯＭ１３に格納されているプログラム、および外部プログラム入力端子を介して、入力されてくるプログラムのうちいずれか一方の内容を出力するよう切り換える第１の選択手段３５と、選択放送方式判別手段３０からの第２の判別信号に基づいて、画面表示制御手段１６、および選択放送方式判別手段３０のうちいずれの出力を選択すべきかを決定する第２の選択手段３６とを備え、画面表示手段７は、第２の選択手段３６からの選択出力に基づいて、表示画面への出力内容を切り換えるようになっている点にあり、その他の構成は実施の形態１と同様である。
【００４３】
ここで、上記テレビジョン受像機の動作について説明する。
映像信号入力端子１から入力された映像信号は、プログラマブル演算手段２に与えられる。一方、チャンネル情報入力端子２１から入力されたチャンネル情報は、選択放送方式判別手段３０に与えられる。
選択放送方式判別手段３０では、予め記憶されている各チャンネル毎の放送方式の情報と、入力されてきたチャンネル情報とを比較することで使用者が選択した放送方式を判別して、第１の判別信号を生成し、この第１の判別信号を第１の選択手段３５に送る。第１の選択手段３５では、第１の判別信号に基づいて、プログラマブル演算手段２に映像信号をデコードさせるべく、ＲＯＭ１３に記憶されているマイクロプログラム、および外部プログラム入力端子１２を介して入力されてくるプログラムのうちいずれか一方を選択して、選択した方のプログラムの内容を出力するよう切り換え、この内容が切り換えられたプログラムをプログラマブル演算手段２に出力する。
【００４４】
また、放送方式が切り換わった場合、選択放送方式判別手段３０は、放送方式が切り換わったことを表示するための制御信号、および第２の選択手段１６への第２の判別信号を生成して出力する。具体的には、まず、放送方式が切り換わった瞬間、選択放送方式判別手段３０は、第２の選択手段１６の出力が選択放送方式判別手段３０の画面表示制御信号になるように、第２の判別信号を生成し、この第２の判別信号を第２の選択手段３６に出力する。このとき、画面表示手段７に対して、表示画面に放送方式が切り換わったこと、すなわち従前の放送方式と異なる放送方式に切り換わったことを表示する制御信号が送られる。そうすると、表示画面上には、切り換わった放送方式を表す情報とともに当該切り換わった放送方式にかかる映像が表示されることになる。このように、放送方式切り換え情報が表示されたら、第２の選択手段３６の出力を画面表示制御手段６の出力に切り換え、上述した第１の実施の形態における同じ動作に切り換えられる。
【００４５】
図７は選択放送方式判別手段の動作の流れを示すフローチャートである。
図７を参照して、選択放送方式判別手段３０の動作の流れについて説明する。図７を参照して、まず、チャンネルのキー入力と現在の放送方式とを比較し、Ａ放送に関するキー入力があったか否かを判別する（ステップＳ１）。ここで、Ａ放送に関するキー入力があったと判別した場合、Ａ放送に関する映像を表示画面上に表示すべきか否かを判別する（ステップＳ２）。ここで、チャンネルのキー入力と現在の放送方式とが互いに一致しており、Ａ放送に関する映像を表示画面上に表示すべきと判別した場合、プログラムのロードを行うことなく、Ａ放送に関する映像を表示画面上に表示させる（ステップＳ５）。一方、チャンネルのキー入力と現在の放送方式とが互いに異なっており、Ａ放送に関する映像を表示画面上に表示すべきでないと判別した場合、Ａ放送に対応したプログラムを記憶しているＲＯＭ１３に対してロードを行った後、Ａ放送に関する映像を表示画面上に表示させる（ステップＳ３、Ｓ４）。
【００４６】
また、ステップＳ１において、Ａ放送に関するキー入力がなかったと判別された場合、Ｂ放送に関するキー入力があったか否かを判別する（ステップＳ６）。ここで、Ｂ放送に関するキー入力があったと判別した場合、Ｂ放送に関する映像を表示画面上に表示すべきか否かを判別する（ステップＳ７）。ここで、チャンネルのキー入力と現在の放送方式とが互いに一致しており、Ｂ放送に関する映像を表示画面上に表示すべきと判別した場合、プログラムのロードを行うことなく、Ｂ放送に関する映像を表示画面上に表示させる（ステップＳ１０）。一方、チャンネルのキー入力と現在の放送方式とが互いに異なっており、Ｂ放送に関する映像を表示画面上に表示すべきでないと判別した場合、Ｂ放送に対応したプログラムを記憶しているＲＯＭ１３に対してロードを行った後、Ｂ放送に関する映像を表示画面上に表示させる（ステップＳ８、Ｓ９）。
【００４７】
以後、同様に、Ｃ放送、Ｄ放送・・・と行っていく。
【００４８】
すなわち、本実施の形態４では、予め記憶されている各チャンネル毎の放送方式の情報と、入力されてきたチャンネル情報とを比較することで使用者が選択した放送方式を判別し、この比較判別の結果、両者が一致することを条件として、プログラマブル演算手段２に供給するプログラム内容を変更せず、一方、両者が一致しないことを条件として、即座に、プログラマブル演算手段２に供給するプログラムの内容を切り換えるとともに、表示画面上に表示すべき内容を切り換えるようになっている。
【００４９】
したがって、使用者のチャンネル操作によって、従前の放送方式から異なる放送方式に切り換わったときにも、使用者にシステムの動作状態を認識させることができる。
【００５０】
なお、本発明は上記各実施の形態に限定されるものではなく、例えば、実施の形態１の構成ないし実施の形態４の構成を任意に組み合わせてもよい。
【００５１】
その他、本発明の請求の範囲内での種々の設計変更、および修正を加え得ることは勿論である。
【００５２】
【発明の効果】
以上の説明から明らかな通り、本願発明のテレビジョン受像機によると、入力される映像信号の放送方式の変更に応じて、放送方式を表示するための第２の判別信号、プログラム転送中であることを表示するための判別信号、デコード処理された映像信号を画面上に任意の、または一定の順序で表示させることが可能となり、使用者に放送方式の変更とプログラム転送状態を認識させることが可能となる。
【００５３】
また、使用者が選択したチャンネルに応じてチャンネルを表示するための第３の判別信号、プログラム転送中であることを表示するための判別信号、デコード処理された映像信号を画面上に任意の、または一定の順序で表示させることが可能となり、使用者にチャンネルの変更とプログラム転送状態を認識させることも可能となる。
【００５４】
さらに、使用者が選択したチャンネルに応じてチャンネルを表示するための第３の判別信号、放送方式を表示するための第２の判別信号、プログラム転送中であることを表示するための判別信号、デコード処理された映像信号を画面上に任意の、または一定の順序で表示させることが可能となり、使用者にチャンネルの変更と放送方式の変更、プログラム転送状態を認識させることも可能となる。
【００５５】
また、使用者が選択したチャンネルに応じて当該チャンネルの放送方式を表示するための第２の判別信号、プログラム転送中であることを表示するための判別信号、デコード処理された映像信号を画面上に任意の、または一定の順序で表示させることが可能となり、使用者にチャンネルの変更に伴う放送方式の変更、プログラム転送状態を認識させることが可能となる。
【図面の簡単な説明】
【図１】本発明の実施の形態１にかかるテレビジョン受像機の回路構成を示すブロック図である。
【図２】表示画面の表示状態を示す図である。
【図３】本発明の実施の形態２にかかるテレビジョン受像機の回路構成を示すブロック図である。
【図４】表示画面の表示状態を示す図である。
【図５】本発明の実施の形態３にかかるテレビジョン受像機の回路構成を示すブロック図である。
【図６】本発明の実施の形態４にかかるテレビジョン受像機の回路構成を示すブロック図である。
【図７】選択放送方式判別手段の動作の流れを示すフローチャートである。
【図８】従来のテレビジョン受像機の回路構成を示すブロック図である。
【符号の説明】
１  映像信号入力端子
２  プログラマブル演算手段
３  ＲＡＭ
４  プログラム内容入力端子
５  プログラム転送制御手段
６  画面表示制御手段
７  画面表示手段
８  映像信号出力端子
１０  信号転送バス
１２  プログラム外部入力端子
１３  ＲＯＭ
１４  放送方式判別手段
１５  第１の選択手段
１６  第２の選択手段
２１  チャンネル情報入力端子
２２  選択チャンネル判別手段
２５  第１の選択手段
２６  第２の選択手段
３０  選択放送方式判別手段
３５  第１の選択手段
３６  第２の選択手段
【図１】
0003611427.tif 000002
【図２】
0003611427.tif 000003
【図３】
0003611427.tif 000004
【図４】
0003611427.tif 000005
【図５】
0003611427.tif 000006
【図６】
0003611427.tif 000007
【図７】
0003611427.tif 000008
【図８】
0003611427.tif 000009